(57)【要約】【課題】再送回数が過剰に増大することによる伝送遅延の増大を防ぐこと。【解決手段】制御部１０１は、送信信号の送信タイミングにて再送回数の情報等を含む再送情報をＳ／Ｐ変換部１０３とＰ／Ｓ変換部１０４へ出力する。拡散部１０２は、送信信号を拡散処理する。Ｓ／Ｐ変換部１０３は、送信信号をシリアルデータ形式からパラレルデータ形式に変換するとともに、１回目の再送の時には再送信号をメモリより２回読み出し、２回目の再送の時には再送信号をメモリより４回読み出す。Ｐ／Ｓ変換部１０４は、送信信号の並び替えを行って送信信号をパラレルデータ形式の送信信号をシリアルデータ形式に変換する。ＩＦＦＴ部１０５は、送信信号に対して直交周波数分割多重処理して信号を各サブキャリアへ振り分けて配置してＯＦＤＭ−ＣＤＭＡ信号を得る。【選択図】      図１
2004187226.tif 000002
【特許請求の範囲】
【請求項１】
送信信号を拡散処理する拡散手段と、前記送信信号を直交周波数分割多重して各サブキャリアに前記送信信号を配置する直交周波数分割多重手段と、再送回数が増えるにつれて同一信号を配置するサブキャリア数が多くなるように制御する制御手段と、を具備することを特徴とするＯＦＤＭ−ＣＤＭＡ送信装置。
【請求項２】
前記送信信号を格納する格納手段を具備し、前記制御手段は、再送要求された前記送信信号を前記格納手段から複数回読み出すことを特徴とする請求項１記載のＯＦＤＭ−ＣＤＭＡ送信装置。
【請求項３】
前記送信信号をターボ符号化してシステマティックビットデータとパリティビットデータを出力する符号化手段を具備し、前記制御手段は、前記システマティックビットデータを配置する前記サブキャリア数と前記パリティビットデータを配置する前記サブキャリア数とが独立して設定されるように制御することを特徴とする請求項１または請求項２記載のＯＦＤＭ−ＣＤＭＡ送信装置。
【請求項４】
前記制御手段は、前記システマティックビットデータを配置する前記サブキャリア数を前記パリティビットデータを配置する前記サブキャリア数よりも多くなるように制御することを特徴とする請求項３記載のＯＦＤＭ−ＣＤＭＡ送信装置。
【請求項５】
前記制御手段は、前記システマティックビットデータを配置する前記サブキャリア数のみを前記再送回数が増えるにつれて多くするように制御することを特徴とする請求項３または請求項４記載のＯＦＤＭ−ＣＤＭＡ送信装置。
【請求項６】
前記制御手段は、前記システマティックビットデータと前記パリティビットデータを各々異なるシンボルに配置されるように制御することを特徴とする請求項３から請求項５のいずれかに記載のＯＦＤＭ−ＣＤＭＡ送信装置。
【請求項７】
前記制御手段は、回線品質情報に応じて前記サブキャリア数を変えるように制御することを特徴とする請求項１から請求項６記載のＯＦＤＭ−ＣＤＭＡ送信装置。
【請求項８】
前記回線品質情報は、通信相手から送信されることを特徴とする請求項７記載のＯＦＤＭ−ＣＤＭＡ送信装置。
【請求項９】
前記回線品質情報は、受信信号から検出することを特徴とする請求項７記載のＯＦＤＭ−ＣＤＭＡ送信装置。
【請求項１０】
前記制御手段は、帯域の使用状況に応じて前記サブキャリア数を変えるように制御することを特徴とする請求項１から請求項９のいずれかに記載のＯＦＤＭ−ＣＤＭＡ送信装置。
【請求項１１】
前記制御手段は、許容使用帯域に対する使用帯域の割り合いが少ないほど前記サブキャリア数が多くなるように制御することを特徴とする請求項１から請求項１０のいずれかに記載のＯＦＤＭ−ＣＤＭＡ送信装置。
【請求項１２】
前記再送回数の上限を適応的に変化させる再送回数制御手段を具備することを特徴とする請求項１から請求項１１のいずれかに記載のＯＦＤＭ−ＣＤＭＡ送信装置。
【請求項１３】
前記再送回数制御手段は、帯域の使用状況に応じて前記上限を適応的に変化させることを特徴とする請求項１２記載のＯＦＤＭ−ＣＤＭＡ送信装置。
【請求項１４】
前記再送回数制御手段は、許容使用帯域に対する使用帯域の割り合いが少ないほど前記上限を小さくすることを特徴とする請求項１２または請求項１３記載のＯＦＤＭ−ＣＤＭＡ送信装置。
【請求項１５】
前記制御手段は、送信時間間隔に応じて前記サブキャリア数を変えるように制御することを特徴とする請求項１から請求項１４のいずれかに記載のＯＦＤＭ−ＣＤＭＡ送信装置。
【請求項１６】
前記拡散手段の拡散率を「１」とし、前記送信信号の符号多重数を「１」とすることを特徴とする請求項１５記載のＯＦＤＭ−ＣＤＭＡ送信装置。
【請求項１７】
前記制御手段は、前記再送回数が増えるにつれて前記サブキャリア数が２の整数倍ずつ多くなるように制御することを特徴とする請求項１から請求項１６のいずれかに記載のＯＦＤＭ−ＣＤＭＡ送信装置。
【請求項１８】
請求項１から請求項１７のいずれかに記載のＯＦＤＭ−ＣＤＭＡ送信装置を具備することを特徴とする基地局装置。
【請求項１９】
請求項１から請求項１７のいずれかに記載のＯＦＤＭ−ＣＤＭＡ送信装置を具備することを特徴とする通信端末装置。
【請求項２０】
送信信号を拡散処理する工程と、前記送信信号を直交周波数分割多重して各サブキャリアに前記送信信号を配置する工程と、再送回数が増えるにつれて同一信号を配置するサブキャリア数が多くなるように制御する工程と、を具備することを特徴とするＯＦＤＭ−ＣＤＭＡ送信方法。
【請求項２１】
帯域の使用状況に応じて前記サブキャリア数を変えるように制御する工程を具備することを特徴とする請求項２０記載のＯＦＤＭ−ＣＤＭＡ送信方法。
【請求項２２】
再送回数の上限を適応的に変化させる工程を具備することを特徴とする請求項２０または請求項２１記載のＯＦＤＭ−ＣＤＭＡ送信方法。
【請求項２３】
送信時間間隔に応じて前記サブキャリア数を変えるように制御する工程を具備することを特徴とする請求項２０から請求項２２のいずれかに記載のＯＦＤＭ−ＣＤＭＡ送信方法。
【発明の詳細な説明】
【０００１】
【発明の属する技術分野】
本発明は、ＯＦＤＭ−ＣＤＭＡ送信装置及びＯＦＤＭ−ＣＤＭＡ送信方法に関する。
【０００２】
【従来の技術】
近年、無線通信、特に移動体通信では、音声以外に画像やデータなどの様々な情報が伝送の対象になっている。今後は、多様なコンテンツの伝送に対する需要がますます高くなることが予想されるため、高信頼かつ高速な伝送に対する必要性がさらに高まるであろうと予想される。しかしながら、移動体通信において高速伝送を行う場合、マルチパスによる遅延波の影響が無視できなくなり、周波数選択性フェージングにより伝送特性が劣化する。
【０００３】
周波数選択性フェージング対策技術の一つとして、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式などのマルチキャリア（ＭＣ）変調方式が注目されている。マルチキャリア変調方式は、周波数選択性フェージングが発生しない程度に伝送速度が抑えられた複数の搬送波（サブキャリア）を用いてデータを伝送することにより、結果的に高速伝送を行う技術である。特に、ＯＦＤＭ方式は、データが配置される複数のサブキャリアが相互に直交しているため、マルチキャリア変調方式の中で最も周波数利用効率が高い方式であり、また、比較的簡単なハードウエア構成で実現できることから、とりわけ注目されており、様々な検討が加えられている（例えば、非特許文献１参照。）。
【０００４】
また、従来、無線装置は、受信信号の伝送誤りを検出し、誤りが検出された場合に通信相手の無線局に対して再送要求信号を送出する。再送要求を受信した通信相手の無線局では、再送要求に対応したデータを再送する。そして受信信号に誤りが無くなるまでこの処理を繰り返す。これら一連の処理は、ＡＲＱ（Ａｕｔｏｍａｔｉｃ  Ｒｅｐｅａｔ  Ｒｅｑｕｅｓｔ）と呼ばれる。
【０００５】
【非特許文献１】
吉識，三瓶，森永：「ＯＦＤＭサブキャリア適応変調システムにおけるマルチレベル送信電力制御適用時の特性」，信学技報  ＴＥＣＨＮＩＣＡＬ  ＲＥＰＯＲＴ  ＯＦ  ＩＥＩＣＥ．  ＳＳＥ２０００−７１，ＲＣＳ２０００−６０（２０００−０７），ｐｐ．６３−６８
【０００６】
【発明が解決しようとする課題】
しかしながら、従来のＯＦＤＭ−ＣＤＭＡ送信装置及びＯＦＤＭ−ＣＤＭＡ送信方法においては、特に回線変動が遅い場合、特定のユーザの再送要求に応じて特定ユーザに再送しても連続して誤りが生じる場合があり、この場合には、再送回数が過剰に増加し、再送回数が増大するにつれて伝搬遅延が増大するため、伝送速度を抑えてデータを伝送するＯＦＤＭ−ＣＤＭＡ方式においては、伝送遅延が増大するという問題がある。また、このような、伝送遅延の増大を防ぐために、ある一定の遅延時間で再送回数を打ち切る方法もあるが、この場合、誤り率が劣化するという問題がある。
【０００７】
本発明はかかる点に鑑みてなされたものであり、再送回数が過剰に増大することによる伝送遅延の増大を防ぐことができるＯＦＤＭ−ＣＤＭＡ送信装置及びＯＦＤＭ−ＣＤＭＡ送信方法を提供することを目的とする。
【０００８】
【課題を解決するための手段】
本発明のＯＦＤＭ−ＣＤＭＡ送信装置は、送信信号を拡散処理する拡散手段と、前記送信信号を直交周波数分割多重して各サブキャリアに前記送信信号を配置する直交周波数分割多重手段と、再送回数が増えるにつれて同一信号を配置するサブキャリア数が多くなるように制御する制御手段と、を具備する構成を採る。
【０００９】
この構成によれば、再送回数が増えるにつれて、同一信号が配置されるサブキャリア数が増えるので、再送回数が増えるにつれて、周波数ダイバーシチ効果が大きくなることにより結果的に再送回数を少なくすることができ、再送回数が過剰に増大することによる伝送遅延の増大を防ぐことができる。
【００１０】
本発明のＯＦＤＭ−ＣＤＭＡ送信装置は、前記送信信号を格納する格納手段を具備し、前記制御手段は、再送要求された前記送信信号を前記格納手段から複数回読み出す構成を採る。
【００１１】
この構成によれば、再送要求された送信信号を複数回読み出して並べるだけで、同一信号を配置するサブキャリア数を再送回数に応じて設定することができるので、簡単な回路構成にて再送回数が過剰に増大することを防ぐことができて伝送遅延の増大を防ぐことができる。
【００１２】
本発明のＯＦＤＭ−ＣＤＭＡ送信装置は、前記送信信号をターボ符号化してシステマティックビットデータとパリティビットデータを出力する符号化手段を具備し、前記制御手段は、前記システマティックビットデータを配置する前記サブキャリア数と前記パリティビットデータを配置する前記サブキャリア数とが独立して設定されるように制御する構成を採る。
【００１３】
この構成によれば、システマティックビットデータとパリティビットデータとにおける再送回数、要求される品質等を各々考慮して同一信号を配置するサブキャリア数を設定することができるので、送信信号の誤り率特性を格段に向上させることができる。
【００１４】
本発明のＯＦＤＭ−ＣＤＭＡ送信装置における前記制御手段は、前記システマティックビットデータを配置する前記サブキャリア数を前記パリティビットデータを配置する前記サブキャリア数よりも多くなるように制御する構成を採る。
【００１５】
この構成によれば、良好な品質が要求されるシステマティックビットデータの同一信号が配置されるサブキャリア数を多くして、システマティックビットデータほど良好な品質が要求されないパリティビットデータの同一信号が配置されるサブキャリア数は少なくするので、伝送効率と誤り率特性の両立を図ることができる。
【００１６】
本発明のＯＦＤＭ−ＣＤＭＡ送信装置における前記制御手段は、前記システマティックビットデータを配置する前記サブキャリア数のみを前記再送回数が増えるにつれて多くするように制御する構成を採る。
【００１７】
この構成によれば、良好な品質が要求されるシステマティックビットデータの同一信号が配置されるサブキャリア数のみを多くし、システマティックビットデータほど良好な品質が要求されないパリティビットデータの同一信号が配置されるサブキャリア数は再送回数に応じて変更しないので、さらに伝送効率と誤り率特性の両立を図ることができる。
【００１８】
本発明のＯＦＤＭ−ＣＤＭＡ送信装置における前記制御手段は、前記システマティックビットデータと前記パリティビットデータを各々異なるシンボルに配置されるように制御する構成を採る。
【００１９】
この構成によれば、システマティックビットデータとパリティビットデータを、各々異なるシンボルに配置したので、システマティックビットデータとパリティビットデータに対して同一信号を配置するサブキャリア数を各々独立して設定する際に、設定の処理を容易にすることができる。
【００２０】
本発明のＯＦＤＭ−ＣＤＭＡ送信装置における前記制御手段は、回線品質情報に応じて前記サブキャリア数を変えるように制御する構成を採る。
【００２１】
この構成によれば、回線品質が劣悪な場合は同一信号を配置するサブキャリア数を多くするので、回線品質が劣悪な場合においても誤り率特性を劣化させずに再送回数を少なくすることができて、伝送遅延を小さくすることができる。
【００２２】
本発明のＯＦＤＭ−ＣＤＭＡ送信装置における前記回線品質情報は、通信相手から送信される構成を採る。
【００２３】
この構成によれば、送信相手において検出した回線品質を通知してもらい、受け取った回線品質情報をそのまま用いて同一信号を配置するサブキャリア数を設定するので、通信相手との回線品質に対して最適なサブキャリア数を設定でき、確実に再送回数を少なくすることができ、伝送遅延を小さくすることができる。
【００２４】
本発明のＯＦＤＭ−ＣＤＭＡ送信装置における前記回線品質情報は、受信信号から検出する構成を採る。
【００２５】
この構成によれば、回線品質を自分で検出するので、迅速な回線品質情報を得ることができ、回線品質に最適な同一信号を配置するサブキャリア数を迅速に設定することができ、信号処理を高速化することができる。
【００２６】
本発明のＯＦＤＭ−ＣＤＭＡ送信装置における前記制御手段は、帯域の使用状況に応じて前記サブキャリア数を変えるように制御する構成を採る。
【００２７】
この構成によれば、使用帯域が少ない場合に同一信号を配置するサブキャリア数を多くすることができるので、同一信号を配置するサブキャリア数を回線状況に応じて柔軟に設定することができ、伝送効率を低下させずに伝送遅延を小さくすることができる。
【００２８】
本発明のＯＦＤＭ−ＣＤＭＡ送信装置における前記制御手段は、許容使用帯域に対する使用帯域の割り合いが少ないほど前記サブキャリア数が多くなるように制御する構成を採る。
【００２９】
この構成によれば、使用帯域に余裕があるか否かを判断して同一信号を配置するサブキャリア数を設定するので、帯域を有効に使用することにより伝送効率を低下させずに伝送遅延を小さくすることができる。
【００３０】
本発明のＯＦＤＭ−ＣＤＭＡ送信装置は、前記再送回数の上限を適応的に変化させる再送回数制御手段を具備する構成を採る。
【００３１】
この構成によれば、再送回数が増えるにつれて同一信号を配置するサブキャリア数を多くしながらも再送回数を制限することができるので、システム全体のスループットと誤り率特性との両立を図ることができる。
【００３２】
本発明のＯＦＤＭ−ＣＤＭＡ送信装置における前記再送回数制御手段は、帯域の使用状況に応じて前記上限を適応的に変化させる構成を採る。
【００３３】
この構成によれば、帯域に余裕がある場合には再送回数の上限を大きくするので、伝送効率を低下させずに誤り率特性を向上させることができる。
【００３４】
本発明のＯＦＤＭ−ＣＤＭＡ送信装置における前記再送回数制御手段は、許容使用帯域に対する使用帯域の割り合いが少ないほど前記上限を小さくする構成を採る。
【００３５】
この構成によれば、帯域に余裕がない場合は再送回数を少なくするので、装置全体のスループットを大きくすることができる。
【００３６】
本発明のＯＦＤＭ−ＣＤＭＡ送信装置における前記制御手段は、送信時間間隔に応じて前記サブキャリア数を変えるように制御する構成を採る。
【００３７】
この構成によれば、例えば、送信時間間隔が長い場合に、再送回数が少ない場合であっても同一信号を配置するサブキャリア数を多くすることにより、再送の送信信号に誤りが生じないようにすることができ、再送の送信信号に誤りが生じることにより極端に伝送遅延が大きくなることを防ぐことができる。
【００３８】
本発明のＯＦＤＭ−ＣＤＭＡ送信装置における前記拡散手段の拡散率を「１」とし、前記送信信号の符号多重数を「１」とする構成を採る。
【００３９】
この構成によれば、ＯＦＤＭ通信方式において、再送回数が増えるにつれて、同一信号が配置されるサブキャリア数が増えるので、再送回数が増えるにつれて、周波数ダイバーシチ効果が大きくなることにより結果的に再送回数を少なくすることができ、再送回数が過剰に増大することによる伝送遅延の増大を防ぐことができる。
【００４０】
本発明のＯＦＤＭ−ＣＤＭＡ送信装置における前記制御手段は、前記再送回数が増えるにつれて前記サブキャリア数が２の整数倍ずつ多くなるように制御する構成を採る。
【００４１】
この構成によれば、クロックの分周の際に２分の１ずつ周波数を低減することができるのでクロック生成が容易であるとともに、受信時に２つずつデータを加算すれば良いので、受信信号の合成が容易である。
【００４２】
本発明の基地局装置は、上記いずれかに記載のＯＦＤＭ−ＣＤＭＡ送信装置を具備する構成を採る。
【００４３】
この構成によれば、下り回線において、各端末の回線変動に応じて端末毎に同一信号を配置するサブキャリア数を設定することができるので、全ての端末に対して伝送効率をほとんど低下させずに再送回数が過剰に増大することによる伝送遅延の増大を防ぐことができる。
【００４４】
本発明の通信端末装置は、上記いずれかに記載のＯＦＤＭ−ＣＤＭＡ送信装置を具備する構成を採る。
【００４５】
この構成によれば、上り回線において、回線品質が劣悪な場所に長時間留まって通信を行う場合等でも結果的に再送回数を少なくすることができるので、伝送効率をほとんど低下させずに再送回数が過剰に増大することによる伝送遅延の増大を防ぐことができる。
【００４６】
本発明のＯＦＤＭ−ＣＤＭＡ送信方法は、送信信号を拡散処理する工程と、前記送信信号を直交周波数分割多重して各サブキャリアに前記送信信号を配置する工程と、再送回数が増えるにつれて同一信号を配置するサブキャリア数が多くなるように制御する工程と、を具備することである。
【００４７】
この方法によれば、再送回数が増えるにつれて、同一信号が配置されるサブキャリア数が増えるので、再送回数が増えるにつれて、周波数ダイバーシチ効果が大きくなることにより結果的に再送回数を少なくすることができ、再送回数が過剰に増大することによる伝送遅延の増大を防ぐことができる。
【００４８】
本発明のＯＦＤＭ−ＣＤＭＡ送信方法は、帯域の使用状況に応じて前記サブキャリア数を変えるように制御する工程を具備することである。
【００４９】
この方法によれば、使用帯域に余裕がある場合に同一信号を配置するサブキャリア数を多くすることができるので、同一信号を配置するサブキャリア数を回線状況に応じて柔軟に設定することができ、伝送効率を低下させずに伝送遅延の増大を防ぐことができる。
【００５０】
本発明のＯＦＤＭ−ＣＤＭＡ送信方法は、再送回数の上限を適応的に変化させる工程を具備することである。
【００５１】
この方法によれば、再送回数が増えるにつれて同一信号を配置するサブキャリア数を多くしながらも再送回数を制限することができるので、システム全体のスループットと誤り率特性との両立を図ることができる。
【００５２】
本発明のＯＦＤＭ−ＣＤＭＡ送信方法は、送信時間間隔に応じて前記サブキャリア数を変えるように制御する工程を具備することである。
【００５３】
この方法によれば、例えば、送信時間間隔が長い場合に、再送回数が少ない場合であっても同一信号を配置するサブキャリア数を多くすることにより、再送の送信信号に誤りが生じないようにすることができ、再送の送信信号に誤りが生じることにより極端に伝送遅延が大きくなることを防ぐことができる。
【００５４】
【発明の実施の形態】
本発明の骨子は、再送回数が増えるほど同一信号を配置するサブキャリア数を多くすることである。また、再送回数に加えて、回線品質情報、送信時間間隔または使用帯域等を考慮して同一信号を配置するサブキャリア数を設定することである。また、再送回数が増えた場合に、ターボ符号化により出力されたシステマティックビットデータの同一信号を配置するサブキャリア数のみを多くすることである。
【００５５】
以下、本発明の実施の形態について、図面を参照して詳細に説明する。
【００５６】
（実施の形態１）
図１は、本発明の実施の形態１に係る送信装置の構成の一部を示す図である。
【００５７】
送信装置１００は、制御部１０１、拡散部１０２、シリアル／パラレル（以下「Ｓ／Ｐ」と記載する）変換部１０３、パラレル／シリアル（以下「Ｐ／Ｓ」と記載する）変換部１０４、ＩＦＦＴ部１０５、ガード区間（以下「ＧＩ」と記載する）挿入部１０６及びアンテナ１０７とから主に構成される。
【００５８】
制御手段である制御部１０１は、図示しない変調部にて変調された送信信号を一時的に蓄積し、送信信号を再送情報とそれ以外の通常の情報とに選別する。そして、送信タイミングになった場合には、送信信号を拡散部１０２へ出力するとともに、再送情報をＳ／Ｐ変換部１０３及びＰ／Ｓ変換部１０４へ出力する。再送情報は、再送回数と再送するデータの情報とからなる。
【００５９】
拡散部１０２は、制御部１０１から入力した送信信号をそれぞれ異なる拡散符号を用いて拡散処理するとともに、符号分割多重してＣＤＭＡ信号を生成してＳ／Ｐ変換部１０３へ出力する。なお、拡散部１０２は、拡散率１として、送信信号を拡散せずにＩＦＦＴ部１０３へ出力するようにしても良い。この場合、ＩＦＦＴ部１０３にて処理された信号は、ＯＦＤＭ信号となる。
【００６０】
並び替え手段であるＳ／Ｐ変換部１０３は、制御部１０１から入力した再送情報が再送ではなく通常の送信である場合は、拡散部１０２から入力した送信信号をそのままシリアルデータ形式からパラレルデータ形式へ変換してＰ／Ｓ変換部１０４へ出力する。一方、Ｓ／Ｐ変換部１０３は、制御部１０１から入力した再送情報が再送である場合は、送信信号をパラレルデータ形式に変換してメモリに格納し、再送情報に含まれる再送すべきデータを再送回数に応じた数だけメモリより読み出してＰ／Ｓ変換部１０４へ出力する。
【００６１】
並び替え手段であるＰ／Ｓ変換部１０４は、最初の送信時においては、Ｓ／Ｐ変換部１０３から入力した送信信号を、そのままパラレルデータ形式からシリアルデータ形式に変換して、ＩＦＦＴ部１０５へ出力する。一方、再送時においては、Ｐ／Ｓ変換部１０４は、制御部１０１から入力した再送情報より、Ｓ／Ｐ変換部１０３から入力した再送データも含む送信信号の並び替えを行い、並び替えた送信信号をＩＦＦＴ部１０５へ出力する。なお、送信信号を並び替える方法については、後述する。
【００６２】
直交周波数分割多重手段であるＩＦＦＴ部１０５は、Ｐ／Ｓ変換部１０４から入力した送信信号を逆高速フーリエ変換（Ｉｎｖｅｒｓｅ  Ｆａｓｔ  Ｆｏｕｒｉｅｒ  Ｔｒａｎｓｆｏｒｍ；以下「ＩＦＦＴ」と記載する。）等の直交周波数分割多重処理し、ＯＦＤＭ−ＣＤＭＡ信号を生成してＧＩ挿入部１０６へ出力する。ＯＦＤＭ−ＣＤＭＡ信号は、拡散符号の１つのチップを１つのサブキャリアに割り当てることによって生成できる。ＩＦＦＴ部１０３にて生成されるＯＦＤＭ−ＣＤＭＡ信号は、符号多重数１等の任意の符号多重数を選択することが可能である。ここで、符号多重数はキャリア毎の多重数であり、何ユーザ（何コード）多重するかによって決まるものである。したがって、符号多重数１の場合は、１つのサブキャリアに１ユーザのみが割り当てられるものである。
【００６３】
ＧＩ挿入部１０６は、ＩＦＦＴ部１０５から入力した送信信号に所定のガード区間を挿入して、アンテナ１０７より送信する。なお、ＧＩ挿入部１０６とアンテナ１０７の間には、図示しない無線部が備えられており、無線部においてベースバンド周波数から無線周波数へアップコンバード等の処理が行われる。
【００６４】
次に、送信装置１００の動作について、図２から図５を用いて説明する。図２は、送信装置１００の動作を示すフロー図であり、図３から図５は、Ｓ／Ｐ変換部１０３とＰ／Ｓ変換部１０４を用いて送信信号を並び替える方法を示した図である。
【００６５】
最初に、制御部１０１は、図示しない変調部にて変調されて入力した送信信号が再送でない通常の信号であるのか再送信号であるのかを判別するとともに（ステップ（以下「ＳＴ」と記載する）２０１）、再送であれば１回目の再送であるか否かを判別する（ＳＴ２０２）。そして、制御部１０１は、通常の信号であるのか再送信号であるのかの情報（以下「信号種別情報」と記載する）、再送回数の情報（以下「回数情報」と記載する）及び通信相手がいずれの信号の再送を要求しているのかの情報（以下「要求情報」と記載する）からなる再送情報をＳ／Ｐ変換部１０３とＰ／Ｓ変換部１０４へ出力する。
【００６６】
再送ではない通常の送信の場合は、拡散部１０２にて拡散処理された送信信号は、図３に示すように、Ｓ／Ｐ変換部１０３にてシリアルデータ形式のデータ列「＄１、＄２、＄３、＄４」からパラレルデータ形式に変換されて一旦メモリ３０１に格納される。なお、信号＄１〜信号＄４は、符号分割多重信号である。
【００６７】
Ｓ／Ｐ変換部１０３から出力された送信信号は、通常の送信時であるため、Ｐ／Ｓ変換部１０４にて並び替えをせずに、図３の上から信号＄１、＄２、＄３、＄４の順番になるようにメモリ３０２にて配列され、続いて図３の上から順次読み出されてシリアルデータの形式に変換される。Ｐ／Ｓ変換部１０４から出力された送信信号は、シリアルデータ形式のデータ列「＄１、＄２、＄３、＄４」のように配列される（ＳＴ２０３）。
【００６８】
一方、１回目の再送の場合は、拡散部１０２にて拡散処理された送信信号は、図４に示すように、Ｓ／Ｐ変換部１０３にてシリアルデータ形式のデータ列「＄１、＄２、＄３、＄４」からパラレルデータ形式に変換されて一旦メモリ３０１に格納される。そして、制御部１０１から入力した信号種別情報、回数情報及び要求情報より、１回目の再送であって且つ信号＄１について再送要求されているため、メモリ３０１より信号＄１は２回読み出されるとともに信号＄２、＄３は１回ずつ読み出されてＰ／Ｓ変換部１０４へ出力される。
【００６９】
Ｓ／Ｐ変換部１０３から出力された送信信号は、図４に示すように、Ｐ／Ｓ変換部１０４のメモリ３０２にて図４の上から信号＄１、＄２、＄１、＄３の順番になるように配列され、続いて図４の上から順次読み出されてシリアルデータの形式に変換される。Ｐ／Ｓ変換部１０４から出力された送信信号は、シリアルデータ形式のデータ列「＄１、＄２、＄１、＄３」のように配列される（ＳＴ２０５）。再送時は、再送要求のあった信号のみをサブキャリアに割り当てて送信すれば良いが、再送要求のあった信号のみをサブキャリアに割り当てて送信する場合に限らず、再送要求のない任意の信号を再送信号と一緒に別のサブキャリアに割り当てて送信しても良い。
【００７０】
また、２回目の再送の場合は、拡散部１０２にて拡散処理された送信信号は、図５に示すように、Ｓ／Ｐ変換部１０３にてシリアルデータ形式のデータ列「＄１、＄２、＄３、＄４」からパラレルデータ形式に変換されて一旦メモリ３０１に格納される。そして、制御部１０１から入力した信号種別情報、回数情報及び要求情報より、２回目の再送であって、且つ信号＄１について再送要求されているため、メモリ３０１より信号＄１のみが４回読み出されてＰ／Ｓ変換部１０４へ出力される。
【００７１】
Ｓ／Ｐ変換部１０３から出力された送信信号は、図５に示すように、Ｐ／Ｓ変換部１０４のメモリ３０２にて図５の上から信号＄１、＄１、＄１、＄１の順番になるように配列され、続いて図５の上から順次読み出されてシリアルデータの形式に変換される。Ｐ／Ｓ変換部１０４から出力された送信信号は、シリアルデータ形式のデータ列「＄１、＄１、＄１、＄１」のように配列される（ＳＴ２０４）。
【００７２】
次に、送信信号は、ＩＦＦＴ部１０５にてＩＦＦＴ処理等の直交周波数分割多重処理されて、ＯＦＤＭ−ＣＤＭＡ信号が得られる（ＳＴ２０６）。
【００７３】
次に、このようにして得られたＯＦＤＭ−ＣＤＭＡ信号における各信号のサブキャリアへの割り当てについて、図６から図８を用いて説明する。
【００７４】
ＯＦＤＭ−ＣＤＭＡ信号は、拡散比をサブキャリア数の４分の１にし、全サブキャリアを４つのサブキャリアグループに分ける。即ち、ＯＦＤＭ−ＣＤＭＡ信号は、サブキャリア＃３ｍ＋１〜サブキャリア＃４ｍからなる第１グループＧ１、サブキャリア＃２ｍ＋１〜サブキャリア＃３ｍからなる第２グループＧ２、サブキャリア＃ｍ＋１〜サブキャリア＃２ｍからなる第３グループＧ３及びサブキャリア＃１〜サブキャリア＃ｍからなる第４グループＧ４に分けられ、各サブキャリアグループには、グループ毎に符号分割多重信号が振り分けて配置される。
【００７５】
再送ではない通常の送信時においては、図６に示すように、信号＄１は第１グループＧ１の各サブキャリアに振り分けられて配置され、信号＄２は第２グループＧ２の各サブキャリアに振り分けられて配置され、信号＄３は第３グループＧ３の各サブキャリアに振り分けられて配置され、信号＄４は第４グループＧ４の各サブキャリアに振り分けられて配置される。
【００７６】
一方、１回目の再送時においては、図７に示すように、信号＄１は第１グループＧ１の各サブキャリアに振り分けられて配置されるとともに、第３グループＧ３には、第１グループＧ１と同様に信号＄１が各サブキャリアに振り分けられて配置され、信号＄２は第２グループＧ２に割り当てられ、信号＄３は第４グループＧ４に割り当てられる。したがって、１回目の再送時においては、通常の送信時に比べて、第３グループＧ３の各サブキャリアに信号＄１が割り当てられた分だけサブキャリア数が２倍になる。
【００７７】
また、２回目の再送時においては、図８に示すように、信号＄１は第１グループＧ１の各サブキャリアに振り分けて配置され、第２グループＧ２、第３グループＧ３及び第４グループＧ４の各々においても、第１グループと同様に信号＄１は各サブキャリアに振り分けて配置される。したがって、２回目の再送時においては、１回目の再送時に比べて、第２グループＧ３の各サブキャリアと第４グループＧ４の各サブキャリアとに各々信号＄１が割り当てられた分だけサブキャリア数が２倍になる。
【００７８】
再送回数が増えるにつれて、再送信号を割り当てるサブキャリア数を多くすれば、周波数ダイバーシチ効果を得ることができ、誤り率特性を向上させることができる。また、再送回数が増えるにつれて、再送信号を割り当てるサブキャリア数を２の整数倍ずつ多くするので、クロックの分周の際に２分の１ずつ周波数を低減することができてクロック生成が容易であるとともに、受信時に２つずつデータを加算すれば良いので、受信信号の合成が容易である。
【００７９】
このように、本実施の形態のＯＦＤＭ−ＣＤＭＡ送信装置及びＯＦＤＭ−ＣＤＭＡ送信方法によれば、Ｓ／Ｐ変換部は制御部から受け取った再送情報に基づいて再送信号を生成し、Ｐ／Ｓ変換部は生成した再送信号を含めた送信信号の並び替えを行って、ＩＦＦＴ部にて送信信号を直交周波数分割多重するので、再送回数が増えるにつれて再送信号が割り当てられるサブキャリア数が多くなり、再送回数が過剰に増大することによる伝送遅延の増大を防ぐことができる。
【００８０】
（実施の形態２）
図９は、本発明の実施の形態２に係る送信装置９００の構成を示す図である。本実施の形態においては、システマティックビットデータとパリティビットデータとの各々をサブキャリアに割り当てる点を特徴とするものである。本実施の形態は、図９において、ターボ符号化部９０１及びパラレル／シリアル（以下「Ｐ／Ｓ」と記載する）変換部９０２を設ける構成が図１と相違する。なお、図１と同一構成である部分は同一の符号を付してその説明は省略する。
【００８１】
誤り訂正符号としてターボ符号を用いた場合、システマティックビットデータとパリティビットデータとが出力されるが、システマティックビットデータの方が良好な品質が要求される。したがって、システマティックビットデータを割り当てるサブキャリア数をパリティビットデータを割り当てるサブキャリア数よりも多くすることによって、さらに伝送効率と誤り率の両立を図ることができる。
【００８２】
制御部１０１は、送信信号を一時的に蓄積し、送信信号を再送情報とそれ以外の通常の情報とに選別する。そして、送信タイミングになった場合には、送信信号を拡散部１０２へ出力するとともに、再送情報をＳ／Ｐ変換部１０３とＰ／Ｓ変換部１０４へ出力する。再送情報は、通常の送信時には信号種別情報のみからなり、再送時には信号種別情報、回数情報及び要求情報からなる。また、制御部１０１は、システマティックビットデータとパリティビットデータが出力される送信タイミングを制御しており、送信信号がシステマティックビットデータであるのかパリティビットデータであるのかの情報をＳ／Ｐ変換部１０３とＰ／Ｓ変換部１０４へ出力する。
【００８３】
符号化手段であるターボ符号化部９０１は、制御部１０１から入力した送信信号の一部を符号化せずにシステマティックビットデータとしてＰ／Ｓ変換部９０２へ出力するとともに、入力した送信信号の残りの一部に対して再帰畳み込み符号化を行って、パリティビットデータとしてＰ／Ｓ変換部９０２へ出力する。
【００８４】
Ｐ／Ｓ変換部９０２は、ターボ符号化部９０１から入力したシステマティックビットデータとパリティビットデータを、パラレルデータの形式からシリアルデータの形式に変換して拡散部１０２へ出力する。システマティックビットデータとパリティビットデータは、異なるシンボルに配置される。
【００８５】
次に、送信装置９００の動作について、図３から図５及び図１０を用いて説明する。図１０は、送信装置９００の動作を示すフロー図である。
【００８６】
最初に、制御部１０１は、送信信号がパリティビットデータであるか否かを判別し（ＳＴ１００１）、さらに、再送信号か否かを判別するとともに（ＳＴ１００２）、再送であれば１回目の再送であるか否かを判別する（ＳＴ１００４）。そして、制御部１０１は、送信信号がシステマティックビットデータであるのかパリティビットデータであるのかの情報（以下「ビット情報」と記載する）と信号種別情報、回数情報及び要求情報からなる再送情報とをＳ／Ｐ変換部１０３とＰ／Ｓ変換部１０４へ出力する。
【００８７】
パリティビットデータである場合は、拡散部１０２にて拡散処理された送信信号は、図３に示すように、Ｓ／Ｐ変換部１０３にてシリアルデータ形式のパリティビットデータ列「＄１、＄２、＄３、＄４」からパラレルデータ形式に変換されて一旦メモリ３０１に格納される。
【００８８】
Ｓ／Ｐ変換部１０３から出力された送信信号は、通常の送信時であるため、Ｐ／Ｓ変換部１０４にて並び替えをせずに、図３の上からパリティビットデータの信号＄１、＄２、＄３、＄４の順番になるようにメモリ３０２にて配列され、続いて図３の上から順次読み出されてシリアルデータの形式に変換される。Ｐ／Ｓ変換部１０４から出力された送信信号は、シリアルデータ形式のパリティビットデータ列「＄１、＄２、＄３、＄４」のように配列される（ＳＴ１００３）。
【００８９】
一方、システマティックビットデータである場合であって且つ再送でない通常の送信の場合、拡散部１０２にて拡散処理された送信信号は、図３に示すように、Ｓ／Ｐ変換部１０３にてシリアルデータ形式のシステマティックビットデータ列「＄１、＄２、＄３、＄４」からパラレルデータ形式に変換されて一旦メモリ３０１に格納される。
【００９０】
Ｓ／Ｐ変換部１０３から出力された送信信号は、通常の送信時であるため、Ｐ／Ｓ変換部１０４にて並び替えをせずに、図３の上からシステマティックビットデータの信号＄１、＄２、＄３、＄４の順番になるようにメモリ３０２にて配列され、続いて図３の上から順次読み出されてシリアルデータの形式に変換される。Ｐ／Ｓ変換部１０４から出力された送信信号は、シリアルデータ形式のシステマティックビットデータ列「＄１、＄２、＄３、＄４」のように配列される（ＳＴ１００３）。
【００９１】
また、システマティックビットデータである場合であって且つ１回目の再送の場合は、拡散部１０２にて拡散処理された送信信号は、図４に示すように、Ｓ／Ｐ変換部１０３にてシリアルデータ形式のパリティビットデータ列「＄１、＄２、＄３、＄４」からパラレルデータ形式に変換されて一旦メモリ３０１に格納される。そして、制御部１０１から入力した信号種別情報、回数情報、要求情報及びビット情報より、システマティックビットデータの信号＄１について再送要求されているため、メモリ３０１より、システマティックビットデータの信号＄１は２回読み出されるとともにシステマティックビットデータの信号＄２、＄３は１回ずつ読み出されてＰ／Ｓ変換部１０４へ出力される。
【００９２】
Ｓ／Ｐ変換部１０３から出力された送信信号は、図４に示すように、Ｐ／Ｓ変換部１０４のメモリ３０２にて図４の上からシステマティックビットデータの信号＄１、＄２、＄１、＄３の順番になるように配列され、続いて図４の上から順次読み出されてシリアルデータの形式に変換される。Ｐ／Ｓ変換部１０４から出力された送信信号は、シリアルデータ形式のシステマティックビットデータ列「＄１、＄２、＄１、＄３」のように配列される（ＳＴ１００６）。
【００９３】
また、システマティックビットデータであって且つ２回目の再送の場合は、拡散部１０２にて拡散処理された送信信号は、図５に示すように、Ｓ／Ｐ変換部１０３にてシリアルデータ形式のパリティビットデータ列「＄１、＄２、＄３、＄４」からパラレルデータ形式に変換されて一旦メモリ３０１に格納される。そして、制御部１０１から入力した信号種別情報、回数情報、要求情報及びビット情報より、２回目の再送であって、且つシステマティックビットデータの信号＄１について再送要求されているため、メモリ３０１よりシステマティックビットデータの信号＄１のみが４回読み出されてＰ／Ｓ変換部１０４へ出力される。
【００９４】
Ｓ／Ｐ変換部１０３から出力された送信信号は、図５に示すように、Ｐ／Ｓ変換部１０４のメモリ３０２にて図５の上からシステマティックビットデータの信号＄１、＄１、＄１、＄１となるように配列され、続いて図５の上から順次読み出されてシリアルデータの形式に変換される。Ｐ／Ｓ変換部１０４から出力された送信信号は、シリアルデータ形式のシステマティックビットデータ列「＄１、＄１、＄１、＄１」のように配列される（ＳＴ１００５）。
【００９５】
次に、送信信号は、ＩＦＦＴ部１０５にてＩＦＦＴ処理等の直交周波数分割多重処理されて、ＯＦＤＭ−ＣＤＭＡ信号が得られる（ＳＴ１００７）。
【００９６】
次に、このようにして得られたＯＦＤＭ−ＣＤＭＡ信号における各信号のサブキャリアへの割り当てについて、図６から図８を用いて説明する。
【００９７】
送信信号がパリティビットデータである場合または送信信号がシステマティックビットデータであり且つ再送ではない通常の送信時においては、図６に示すように、信号＄１は第１グループＧ１の各サブキャリアに振り分けられて配置され、信号＄２は第２グループＧ２の各サブキャリアに振り分けられて配置され、信号＄３は第３グループＧ３の各サブキャリアに振り分けられて配置され、信号＄４は第４グループＧ４の各サブキャリアに振り分けられて配置される。
【００９８】
また、システマティックビットデータであって且つ１回目の再送時においては、図７に示すように、信号＄１は第１グループＧ１の各サブキャリアに振り分けられて配置されるとともに、第３グループＧ３には、第１グループＧ１と同様に信号＄１が各サブキャリアに振り分けられて配置され、信号＄２は第２グループＧ２に割り当てられ、信号＄３は第４グループＧ４に割り当てられる。したがって、１回目の再送時においては、通常の送信時に比べて、第３グループＧ３の各サブキャリアに信号＄１が割り当てられた分だけサブキャリア数が２倍になる。
【００９９】
また、システマティックビットデータであって且つ２回目の再送時においては、図８に示すように、信号＄１は第１グループＧ１の各サブキャリアに振り分けて配置され、第２グループＧ２、第３グループＧ３及び第４グループＧ４の各々においても、第１グループと同様に信号＄１は各サブキャリアに振り分けて配置される。したがって、２回目の再送時においては、１回目の再送時に比べて、第２グループＧ３の各サブキャリアと第４グループＧ４の各サブキャリアとに各々信号＄１が割り当てられた分だけサブキャリア数が２倍になる。
【０１００】
このように、本実施の形態のＯＦＤＭ−ＣＤＭＡ送信装置及びＯＦＤＭ−ＣＤＭＡ送信方法によれば、上記実施の形態１の効果に加えて、他の誤り訂正方式と比較すると非常に良好な誤り率特性が得られるターボ符号化部にて送信信号をターボ符号化するので、格段に誤り率特性を向上させることができる。
【０１０１】
なお、本実施の形態においては、パリティビットデータを割り当てるサブキャリア数は変えないこととしたが、パリティビットデータを割り当てるサブキャリア数は変えない場合に限らず、再送回数に応じてパリティビットデータを割り当てるサブキャリア数を増やすようにしても良い。また、本実施の形態においては、再送時においては、システマティックビットデータを割り当てるサブキャリア数とパリティビットデータを割り当てるサブキャリア数は異なることとしたが、再送時において、システマティックビットデータを割り当てるサブキャリア数とパリティビットデータを割り当てるサブキャリア数を異ならせる場合に限らず、再送回数に応じてシステマティックビットデータを割り当てるサブキャリア数とパリティビットデータを割り当てるサブキャリア数を再送回数に応じて同じ数だけ増やすようにしても良い。
【０１０２】
（実施の形態３）
図１１は、本発明の実施の形態３に係る送信装置１１００の構成を示す図である。本実施の形態においては、回線品質情報に応じて再送信号をサブキャリアに割り当てる点を特徴とするものである。なお、図１と同一構成である部分は同一の符号を付してその説明は省略する。
【０１０３】
制御部１０１は、図示しない変調部にて変調された送信信号を一時的に蓄積し、送信信号を再送情報とそれ以外の通常の情報とに選別する。そして、送信タイミングになった場合には、送信信号を拡散部１０２へ出力するとともに、再送情報をＳ／Ｐ変換部１０３及びＰ／Ｓ変換部１０４へ出力する。また、制御部１０１は、受信信号よりＣＩＲ（希望波対干渉波比）等の回線品質を求めて、求めた回線品質を回線品質情報としてＳ／Ｐ変換部１０３とＰ／Ｓ変換部１０４へ出力する。受信信号より回線品質を検出する方法は、ＴＤＤ（Ｔｉｍｅ  Ｄｉｖｉｓｉｏｎ  Ｄｕｐｌｅｘ）通信方式の場合に採用できる。なお、回線品質情報は、通信相手において検出したものを送信してもらうものであっても良い。この場合には、通信相手にて測定したＳＩＲ測定結果等の回線品質情報を通信相手より送信してもらえば良い。
【０１０４】
Ｓ／Ｐ変換部１０３は、制御部１０１から入力した再送情報が再送ではなく通常の送信である場合は、拡散部１０２から入力した送信信号をそのままシリアルデータ形式からパラレルデータ形式へ変換してＰ／Ｓ変換部１０４へ出力する。一方、Ｓ／Ｐ変換部１０３は、制御部１０１から入力した再送情報が再送である場合は、再送情報に含まれる再送すべきデータを再送回数に応じた数だけ生成してシリアルデータ形式からパラレルデータ形式へ変換してＰ／Ｓ変換部１０４へ出力する。この際に、Ｓ／Ｐ変換部１０３は、制御部１０１から入力した回線品質情報より回線品質が極めて悪いと判断される場合には、１回目の再送時であっても２回目の再送時に生成される数だけ再送信号を生成する。
【０１０５】
Ｐ／Ｓ変換部１０４は、最初の送信時においては、Ｓ／Ｐ変換部１０３から入力した送信信号をパラレルデータ形式からシリアルデータ形式に変換して、ＩＦＦＴ部１０５へ出力する。また、再送時においては、Ｐ／Ｓ変換部１０４は、制御部１０１から入力した再送情報より、Ｓ／Ｐ変換部１０３にて生成した再送データも含めて送信信号の並び替えを行い、並び替えた送信信号をＩＦＦＴ部１０５へ出力する。
【０１０６】
ターボ符号化部１１０１は、制御部１０１から入力した送信信号の一部を符号化せずにシステマティックビットデータとしてＰ／Ｓ変換部１１０２へ出力するとともに、入力した送信信号の残りの一部に対して再帰畳み込み符号化を行って、パリティビットデータとしてＰ／Ｓ変換部１１０２へ出力する。
【０１０７】
Ｐ／Ｓ変換部１１０２は、ターボ符号化部１１０１から入力したシステマティックビットデータとパリティビットデータを、パラレルデータの形式からシリアルデータの形式に変換して拡散部１０２へ出力する。システマティックビットデータとパリティビットデータは、異なるシンボルに配置される。
【０１０８】
次に、送信装置１１００の動作について、図３から図５及び図１２を用いて説明する。図１２は、送信装置１１００の動作を示すフロー図である。
【０１０９】
最初に、制御部１０１は、送信信号が再送信号か否かを判別するとともに（ＳＴ１２０１）、再送であれば１回目の再送であるか否かを判別する（ＳＴ１２０２）。また、制御部１０１は、受信信号より求めた回線品質より、回線品質が良好であるか否かを判別する。回線品質の判別方法としては、しきい値以上であるか否かにより判別する等の任意の方法により判別することができる。そして、制御部１０１は、信号種別情報、回数情報及び要求情報からなる再送情報と回線品質情報とをＳ／Ｐ変換部１０３とＰ／Ｓ変換部１０４へ出力する。
【０１１０】
再送でない通常の送信の場合、拡散部１０２にて拡散処理された送信信号は、図３に示すように、Ｓ／Ｐ変換部１０３にてシリアルデータ形式のシステマティックビットデータ列「＄１、＄２、＄３、＄４」からパラレルデータ形式に変換されて一旦メモリ３０１に格納される。
【０１１１】
Ｓ／Ｐ変換部１０３から出力された送信信号は、通常の送信時であるため、Ｐ／Ｓ変換部１０４にて並び替えをせずに、図３の上から信号＄１、＄２、＄３、＄４の順番になるようにメモリ３０２にて配列され、続いて図３の上から順次読み出されてシリアルデータの形式に変換される。Ｐ／Ｓ変換部１０４から出力された送信信号は、シリアルデータ形式のデータ列「＄１、＄２、＄３、＄４」のように配列される（ＳＴ１２０３）。
【０１１２】
また、１回目の再送の場合であって且つ回線品質が良好である場合は、拡散部１０２にて拡散処理された送信信号は、図４に示すように、Ｓ／Ｐ変換部１０３にてシリアルデータ形式のシステマティックビットデータ列「＄１、＄２、＄３、＄４」からパラレルデータ形式に変換されて一旦メモリ３０１に格納される。そして、制御部１０１から入力した信号種別情報、回数情報、要求情報及び回線品質情報より、１回目の再送であって、信号＄１について再送要求されているとともに、制御部１０１にて回線品質が良好か否かを判断した結果（ＳＴ１２０５）、回線品質が良好であるため、メモリ３０１より信号＄１は２回読み出されるとともに信号＄２、＄３は１回ずつ読み出されてＰ／Ｓ変換部１０４へ出力される。
【０１１３】
Ｓ／Ｐ変換部１０３から出力された送信信号は、図４に示すように、Ｐ／Ｓ変換部１０４のメモリ３０２にて図４の上から信号＄１、＄２、＄１、＄３の順番になるように配列され、続いて図４の上から順次読み出されてシリアルデータの形式に変換される。Ｐ／Ｓ変換部１０４から出力された送信信号は、シリアルデータ形式のデータ列「＄１、＄２、＄１、＄３」のように配列される（ＳＴ１２０６）。
【０１１４】
一方、１回目の再送であっても回線品質が劣悪な場合は、拡散部１０２にて拡散処理された送信信号は、図５に示すように、Ｓ／Ｐ変換部１０３にてシリアルデータ形式のシステマティックビットデータ列「＄１、＄２、＄３、＄４」からパラレルデータ形式に変換されて一旦メモリ３０１に格納される。そして、制御部１０１から入力した信号種別情報、回数情報、要求情報及び回線品質情報より、１回目の再送であって、信号＄１について再送要求されているとともに、回線品質が劣悪であるため、メモリ３０１より信号＄１のみが４回読み出されてＰ／Ｓ変換部１０４へ出力される。
【０１１５】
Ｓ／Ｐ変換部１０３から出力された送信信号は、図５に示すように、Ｐ／Ｓ変換部１０４のメモリ３０２にて図５の上から信号＄１、＄１、＄１、＄１の順番になるように配列され、続いて図５の上から順次読み出されてシリアルデータの形式に変換される。Ｐ／Ｓ変換部１０４から出力された送信信号は、シリアルデータ形式のデータ列「＄１、＄１、＄１、＄１」のように配列される（ＳＴ１２０４）。
【０１１６】
また、２回目の再送の場合は、拡散部１０２にて拡散処理された送信信号は、図５に示すように、Ｓ／Ｐ変換部１０３にてシリアルデータ形式のシステマティックビットデータ列「＄１、＄２、＄３、＄４」からパラレルデータ形式に変換されて一旦メモリ３０１に格納される。そして、制御部１０１から入力した信号種別情報、回数情報及び要求情報より、２回目の再送であって、且つ信号＄１について再送要求されているため、メモリ３０１より信号＄１のみが４回読み出されてＰ／Ｓ変換部１０４へ出力される。
【０１１７】
Ｓ／Ｐ変換部１０３から出力された送信信号は、図５に示すように、Ｐ／Ｓ変換部１０４のメモリ３０２にて図５の上から信号＄１、＄１、＄１、＄１の順番になるように配列され、続いて図５の上から順次読み出されてシリアルデータの形式に変換される。Ｐ／Ｓ変換部１０４から出力された送信信号は、シリアルデータ形式のシステマティックビットデータ列「＄１、＄１、＄１、＄１」のように配列される（ＳＴ１２０４）。
【０１１８】
次に、送信信号は、ＩＦＦＴ部１０５にてＩＦＦＴ処理等の直交周波数分割多重処理されて、ＯＦＤＭ−ＣＤＭＡ信号が得られる（ＳＴ１２０７）。
【０１１９】
次に、このようにして得られたＯＦＤＭ−ＣＤＭＡ信号における各信号のサブキャリアへの割り当てについて、図６から図８を用いて説明する。
【０１２０】
送信信号が再送ではない通常の送信時においては、図６に示すように、信号＄１は第１グループＧ１の各サブキャリアに振り分けられて配置され、信号＄２は第２グループＧ２の各サブキャリアに振り分けられて配置され、信号＄３は第３グループＧ３の各サブキャリアに振り分けられて配置され、信号＄４は第４グループＧ４の各サブキャリアに振り分けられて配置される。
【０１２１】
また、１回目の再送時であって回線品質が良好な場合においては、図７に示すように、信号＄１は第１グループＧ１の各サブキャリアに振り分けられて配置されるとともに、第３グループＧ３には、第１グループＧ１と同様に信号＄１が各サブキャリアに振り分けられて配置され、信号＄２は第２グループＧ２に割り当てられ、信号＄３は第４グループＧ４に割り当てられる。したがって、１回目の再送時においては、通常の送信時に比べて、第３グループＧ３の各サブキャリアに信号＄１が割り当てられた分だけサブキャリア数が２倍になる。
【０１２２】
また、２回目の再送時または１回目の再送時であって且つ回線品質が劣悪な場合においては、図８に示すように、信号＄１は第１グループＧ１の各サブキャリアに振り分けて配置され、第２グループＧ２、第３グループＧ３及び第４グループＧ４の各々においても、第１グループと同様に信号＄１は各サブキャリアに振り分けて配置される。したがって、２回目の再送時においては、通常の送信時に比べて、第２グループＧ３の各サブキャリアと第４グループＧ４の各サブキャリアとに信号＄１が割り当てられた分だけサブキャリア数が２倍になる。
【０１２３】
このように、本実施の形態のＯＦＤＭ−ＣＤＭＡ送信装置及びＯＦＤＭ−ＣＤＭＡ送信方法によれば、上記実施の形態１の効果に加えて、Ｓ／Ｐ変換部及びＰ／Ｓ変換部は、再送信号が回線品質も考慮してサブキャリアに割り当てられるように配列するので、回線品質が劣悪である場合に確実に誤り率特性を向上させることができる。
【０１２４】
（実施の形態４）
図１３は、本発明の実施の形態４に係る送信装置１３００の構成を示す図である。本実施の形態においては、送信時間間隔も考慮して再送信号を割り当てるサブキャリア数を変える点を特徴とするものである。本実施の形態は、図１３において、カウンタ部１３０１、遅延部１３０２、減算部１３０３及び大小比較部１３０４を設ける構成が図１と相違する。なお、図１と同一構成である部分は同一の符号を付してその説明は省略する。
【０１２５】
ＩＥＥＥ８０２．１１のようにアクセス方式としてＣＳＭＡ（Ｃａｒｒｉｅｒ  Ｓｅｎｃｅ  Ｍｕｌｔｉｐｌｅ  Ａｃｃｅｓｓ）を用いた場合、回線が混んでいるときに、前回送信されてから今回送信するまでの時間間隔が非常に長くなる場合もある。このような場合に、２回目または３回目の再送がエラーになると、伝送遅延が極めて大きくなる場合がある。このようなことを回避するために、前回送信されてから今回送信するまでの送信時間間隔も考慮して、再送信号を割り当てるサブキャリア数を変える方法も有効である。なお、ＣＳＭＡは、端末がキャリアセンスをして、受信レベルがしきい値以下であれば送信するものである。
【０１２６】
カウンタ部１３０１は、制御部１０１から入力した送信タイミングに基づいて送信タイミングを示す情報を生成して、遅延部１３０２と減算部１３０３へ出力する。
【０１２７】
遅延部１３０２は、カウンタ部１３０１から入力した送信タイミングを示す情報を遅延させて減算部１３０３へ出力する。
【０１２８】
減算部１３０３は、カウンタ部１３０１から入力した送信タイミングを示す情報と遅延部１３０２から入力した送信タイミングを示す情報より、前回送信された送信タイミングと今回送信する送信タイミングとの差を算出して、算出した送信タイミング差を送信時間間隔として大小比較部１３０４へ出力する。
【０１２９】
大小比較部１３０４は、減算部１３０３から入力した送信時間間隔としきい値とを比較して、送信時間間隔がしきい値以上であるか否かの送信時間間隔情報をＳ／Ｐ変換部１０３とＰ／Ｓ変換部１０４へ出力する。
【０１３０】
Ｓ／Ｐ変換部１０３は、制御部１０１から入力した再送情報より通常の送信である場合は、拡散部１０２から入力した送信信号をそのままシリアルデータ形式からパラレルデータ形式へ変換してＰ／Ｓ変換部１０４へ出力する。一方、Ｓ／Ｐ変換部１０３は、制御部１０１から入力した再送情報が再送である場合は、再送情報に含まれる再送すべきデータを再送回数に応じた数だけ生成してシリアルデータ形式からパラレルデータ形式へ変換してＰ／Ｓ変換部１０４へ出力する。この際に、Ｓ／Ｐ変換部１０３は、大小比較部１３０４から入力した送信時間間隔情報より送信時間間隔がしきい値以上で長い場合には、１回目の再送時であっても２回目の再送時に再送信号に割り当てられるサブキャリア数分の再送信号を生成する。
【０１３１】
Ｐ／Ｓ変換部１０４は、最初の送信時においては、Ｓ／Ｐ変換部１０３から入力した送信信号をパラレルデータ形式からシリアルデータ形式に変換して、ＩＦＦＴ部１０５へ出力する。また、再送時においては、Ｐ／Ｓ変換部１０４は、制御部１０１から入力した再送情報より、Ｓ／Ｐ変換部１０３にて生成した再送データも含めて送信信号の並び替えを行い、並び替えた送信信号をＩＦＦＴ部１０５へ出力する。
【０１３２】
次に、送信装置１３００の動作について、図３から図５及び図１４を用いて説明する。図１４は、送信装置１３００の動作を示すフロー図である。
【０１３３】
最初に、制御部１０１は、送信信号が再送信号か否かを判別するとともに（ＳＴ１４０１）、再送であれば１回目の再送であるか否かを判別する（ＳＴ１４０２）。また、減算部１３０３は、算出した送信時間間隔をＳ／Ｐ変換部１０３とＰ／Ｓ変換部１０４へ出力する。
【０１３４】
再送でない通常の送信の場合は、拡散部１０２にて拡散処理された送信信号は、図３に示すように、Ｓ／Ｐ変換部１０３にてシリアルデータ形式のシステマティックビットデータ列「＄１、＄２、＄３、＄４」からパラレルデータ形式に変換されて一旦メモリ３０１に格納される。
【０１３５】
Ｓ／Ｐ変換部１０３から出力された送信信号は、通常の送信時であるため、Ｐ／Ｓ変換部１０４にて並び替えをせずに、図３の上から信号＄１、＄２、＄３、＄４の順番になるようにメモリ３０２にて配列され、続いて図３の上から順次読み出されてシリアルデータの形式に変換される。Ｐ／Ｓ変換部１０４から出力された送信信号は、シリアルデータ形式のデータ列「＄１、＄２、＄３、＄４」のように配列される（ＳＴ１４０３）。
【０１３６】
また、Ｓ／Ｐ変換部１０３は、１回目の再送の場合であって、大小比較部１３０４より入力した送信時間間隔がしきい値未満の場合は、拡散部１０２にて拡散処理された送信信号は、図３に示すように、Ｓ／Ｐ変換部１０３にてシリアルデータ形式のシステマティックビットデータ列「＄１、＄２、＄３、＄４」からパラレルデータ形式に変換されて一旦メモリ３０１に格納される。そして、制御部１０１から入力した信号種別情報、回数情報、要求情報及び送信時間間隔情報より、制御部１０１にて１回目の再送であるか否か判断した結果（ＳＴ１４０２）、１回目の再送であり信号＄１について再送要求されており、大小比較部１３０４にて送信時間間隔がしきい値以上であるか否かを判断した結果（ＳＴ１４０５）、送信時間間隔がしきい値未満であるため、メモリ３０１より信号＄１は２回読み出されるとともに信号＄２、＄３は１回ずつ読み出されてＰ／Ｓ変換部１０４へ出力される。
【０１３７】
Ｓ／Ｐ変換部１０３から出力された送信信号は、図４に示すように、Ｐ／Ｓ変換部１０４のメモリ３０２にて図４の上から信号＄１、＄２、＄１、＄３の順番になるように配列され、続いて図４の上から順次読み出されてシリアルデータの形式に変換される。Ｐ／Ｓ変換部１０４から出力された送信信号は、シリアルデータ形式のデータ列「＄１、＄２、＄１、＄３」のように配列される（ＳＴ１４０６）。
【０１３８】
一方、１回目の再送であって、大小比較部１３０４より入力した送信時間間隔がしきい値以上の場合は、拡散部１０２にて拡散処理された送信信号は、図５に示すように、Ｓ／Ｐ変換部１０３にてシリアルデータ形式のシステマティックビットデータ列「＄１、＄２、＄３、＄４」からパラレルデータ形式に変換されて一旦メモリ３０１に格納される。そして、制御部１０１から入力した信号種別情報、回数情報、要求情報及び送信時間間隔情報より、１回目の再送であって、且つ信号＄１について再送要求されているとともに、送信時間間隔がしきい値以上であるため、メモリ３０１より信号＄１のみが４回読み出されてＰ／Ｓ変換部１０４へ出力される。
【０１３９】
Ｓ／Ｐ変換部１０３から出力された送信信号は、図５に示すように、Ｐ／Ｓ変換部１０４のメモリ３０２にて図５の上から信号＄１、＄１、＄１、＄１の順番になるように配列され、続いて図５の上から順次読み出されてシリアルデータの形式に変換される。Ｐ／Ｓ変換部１０４から出力された送信信号は、シリアルデータ形式のデータ列「＄１、＄１、＄１、＄１」のように配列される（ＳＴ１４０４）。
【０１４０】
また、２回目の再送の場合は、拡散部１０２にて拡散処理された送信信号は、図５に示すように、Ｓ／Ｐ変換部１０３にてシリアルデータ形式のシステマティックビットデータ列「＄１、＄２、＄３、＄４」からパラレルデータ形式に変換されて一旦メモリ３０１に格納される。そして、制御部１０１から入力した信号種別情報、回数情報及び要求情報より、信号＄１について再送要求されているため、メモリ３０１より信号＄１のみが４回読み出されてＰ／Ｓ変換部１０４へ出力される。
【０１４１】
Ｓ／Ｐ変換部１０３から出力された送信信号は、図５に示すように、Ｐ／Ｓ変換部１０４のメモリ３０２にて図５の上から信号＄１、＄１、＄１、＄１の順番になるように配列され、続いて図５の上から順次読み出されてシリアルデータの形式に変換される。Ｐ／Ｓ変換部１０４から出力された送信信号は、シリアルデータ形式のシステマティックビットデータ列「＄１、＄１、＄１、＄１」のように配列される（ＳＴ１４０４）。
【０１４２】
次に、送信信号は、ＩＦＦＴ部１０５にてＩＦＦＴ処理等の直交周波数分割多重処理されて、ＯＦＤＭ−ＣＤＭＡ信号が得られる（ＳＴ１４０７）。
【０１４３】
次に、このようにして得られたＯＦＤＭ−ＣＤＭＡ信号における各信号のサブキャリアへの割り当てについて、図６から図８を用いて説明する。
【０１４４】
送信信号が再送ではない通常の送信時においては、図６に示すように、信号＄１は第１グループＧ１の各サブキャリアに振り分けられて配置され、信号＄２は第２グループＧ２の各サブキャリアに振り分けられて配置され、信号＄３は第３グループＧ３の各サブキャリアに振り分けられて配置され、信号＄４は第４グループＧ４の各サブキャリアに振り分けられて配置される。
【０１４５】
また、１回目の再送時であって且つ送信時間間隔がしきい値未満の場合においては、図７に示すように、信号＄１は第１グループＧ１の各サブキャリアに振り分けられて配置されるとともに、第３グループＧ３には、第１グループＧ１と同様に信号＄１が各サブキャリアに振り分けられて配置され、信号＄２は第２グループＧ２に割り当てられ、信号＄３は第４グループＧ４に割り当てられる。したがって、１回目の再送時においては、通常の送信時に比べて、第３グループＧ３の各サブキャリアに信号＄１が割り当てられた分だけサブキャリア数が２倍になる。
【０１４６】
また、２回目の再送時または１回目の再送時であって且つ回線品質が劣悪な場合においては、図８に示すように、信号＄１は第１グループＧ１の各サブキャリアに振り分けて配置され、第２グループＧ２、第３グループＧ３及び第４グループＧ４の各々においても、第１グループと同様に信号＄１は各サブキャリアに振り分けて配置される。したがって、２回目の再送時においては、通常の送信時に比べて、第２グループＧ２の各サブキャリアと第４グループＧ４の各サブキャリアに信号＄１が割り当てられた分だけサブキャリア数が２倍になる。
【０１４７】
このように、本実施の形態のＯＦＤＭ−ＣＤＭＡ送信装置及びＯＦＤＭ−ＣＤＭＡ送信方法によれば、上記実施の形態１の効果に加えて、Ｓ／Ｐ変換部及びＰ／Ｓ変換部は、再送信号が送信時間間隔も考慮してサブキャリアに割り当てられるように配列するので、送信時間間隔が長い場合に何度も再送することにより伝送遅延が極めて大きくなることを防ぐことができる。
【０１４８】
（実施の形態５）
図１５は、本発明の実施の形態５に係る送信装置１５００の構成を示す図である。本実施の形態においては、使用帯域の使用状況も考慮して再送信号を割り当てるサブキャリア数を変える点を特徴とするものである。なお、図１と同一構成である部分は同一の符号を付してその説明は省略する。
【０１４９】
制御部１０１は、帯域の使用状況の情報を通信相手から通知してもらうかまたは使用可能な帯域幅として許容使用帯域が分かっている場合は、許容使用帯域に対する現在使用している使用帯域の割り合いを求めることにより残りの帯域にどのくらい余裕があるかを知ることができるため、許容使用帯域に対する使用帯域の割り合いの情報（以下「帯域情報」と記載する）をＳ／Ｐ変換部１０３とＰ／Ｓ変換部１０４へ出力する。
【０１５０】
Ｓ／Ｐ変換部１０３は、制御部１０１から入力した再送情報より通常の送信である場合は、拡散部１０２から入力した送信信号をそのままシリアルデータ形式からパラレルデータ形式へ変換してＰ／Ｓ変換部１０４へ出力する。一方、Ｓ／Ｐ変換部１０３は、制御部１０１から入力した再送情報が再送である場合は、再送情報に含まれる再送すべきデータを再送回数に応じた数だけ生成してシリアルデータ形式からパラレルデータ形式へ変換してＰ／Ｓ変換部１０４へ出力する。この際に、Ｓ／Ｐ変換部１０３は、制御部１０１から入力した帯域情報より帯域に余裕がある場合には、１回目の再送時であっても２回目の再送時に再送信号に割り当てられるサブキャリア数分の再送信号を生成する。
【０１５１】
Ｐ／Ｓ変換部１０４は、最初の送信時においては、Ｓ／Ｐ変換部１０３から入力した送信信号をパラレルデータ形式からシリアルデータ形式に変換して、ＩＦＦＴ部１０５へ出力する。また、再送時においては、Ｐ／Ｓ変換部１０４は、制御部１０１から入力した再送情報より、Ｓ／Ｐ変換部１０３にて生成した再送データも含めて送信信号の並び替えを行い、並び替えた送信信号をＩＦＦＴ部１０５へ出力する。
【０１５２】
次に、送信装置１５００の動作について、図３から図５及び図１６を用いて説明する。図１６は、送信装置１５００の動作を示すフロー図である。
【０１５３】
最初に、制御部１０１は、送信信号が再送信号か否かを判別するとともに（ＳＴ１６０１）、再送であれば１回目の再送であるか否かを判別する（ＳＴ１６０２）。また、制御部１０１は、許容使用帯域に対する使用帯域の割り合いの大小を判別し（ＳＴ１６０５）、判別結果を帯域情報としてＳ／Ｐ変換部１０３とＰ／Ｓ変換部１０４へ出力する。
【０１５４】
再送でない通常の送信の場合、拡散部１０２にて拡散処理された送信信号は、図３に示すように、Ｓ／Ｐ変換部１０３にてシリアルデータ形式のシステマティックビットデータ列「＄１、＄２、＄３、＄４」からパラレルデータ形式に変換されて一旦メモリ３０１に格納される。
【０１５５】
Ｓ／Ｐ変換部１０３から出力された送信信号は、通常の送信時であるため、Ｐ／Ｓ変換部１０４にて並び替えをせずに、図３の上から信号＄１、＄２、＄３、＄４の順番になるようにメモリ３０２にて配列され、続いて図３の上から順次読み出されてシリアルデータの形式に変換される。Ｐ／Ｓ変換部１０４から出力された送信信号は、シリアルデータ形式のデータ列「＄１、＄２、＄３、＄４」のように配列される（ＳＴ１６０３）。
【０１５６】
一方、１回目の再送の場合であって且つ帯域に余裕がない場合は、拡散部１０２にて拡散処理された送信信号は、図４に示すように、Ｓ／Ｐ変換部１０３にてシリアルデータ形式のシステマティックビットデータ列「＄１、＄２、＄３、＄４」からパラレルデータ形式に変換されて一旦メモリ３０１に格納される。そして、制御部１０１から入力した信号種別情報、回数情報、要求情報及び帯域情報より、１回目の再送であって、信号＄１について再送要求されているとともに帯域に余裕がないため、メモリ３０１より信号＄１は２回読み出されるとともに信号＄２、＄３は１回ずつ読み出されてＰ／Ｓ変換部１０４へ出力される。
【０１５７】
Ｓ／Ｐ変換部１０３から出力された送信信号は、図４に示すように、Ｐ／Ｓ変換部１０４のメモリ３０２にて図４の上から信号＄１、＄２、＄１、＄３の順番になるように配列され、続いて図４の上から順次読み出されてシリアルデータの形式に変換される。Ｐ／Ｓ変換部１０４から出力された送信信号は、シリアルデータ形式のデータ列「＄１、＄２、＄１、＄３」のように配列される（ＳＴ１６０６）。
【０１５８】
また、１回目の再送であって、帯域に余裕がある場合は、拡散部１０２にて拡散処理された送信信号は、図５に示すように、Ｓ／Ｐ変換部１０３にてシリアルデータ形式のシステマティックビットデータ列「＄１、＄２、＄３、＄４」からパラレルデータ形式に変換されて一旦メモリ３０１に格納される。そして、制御部１０１から入力した信号種別情報、回数情報、要求情報及び帯域情報より、１回目の再送であって、信号＄１について再送要求されているとともに帯域に余裕があるため、メモリ３０１より信号＄１のみが４回読み出されてＰ／Ｓ変換部１０４へ出力される。
【０１５９】
Ｓ／Ｐ変換部１０３から出力された送信信号は、図５に示すように、Ｐ／Ｓ変換部１０４のメモリ３０２にて図５の上から信号＄１、＄１、＄１、＄１の順番になるように配列され、続いて図５の上から順次読み出されてシリアルデータの形式に変換される。Ｐ／Ｓ変換部１０４から出力された送信信号は、シリアルデータ形式のデータ列「＄１、＄１、＄１、＄１」のように配列される（ＳＴ１６０４）。
【０１６０】
また、２回目の再送の場合は、拡散部１０２にて拡散処理された送信信号は、図３に示すように、Ｓ／Ｐ変換部１０３にてシリアルデータ形式のシステマティックビットデータ列「＄１、＄２、＄３、＄４」からパラレルデータ形式に変換されて一旦メモリ３０１に格納される。そして、制御部１０１から入力した信号種別情報、回数情報及び要求情報より、２回目の再送であって、且つ信号＄１について再送要求されているため、メモリ３０１より信号＄１のみが４回読み出されてＰ／Ｓ変換部１０４へ出力される。
【０１６１】
Ｓ／Ｐ変換部１０３から出力された送信信号は、図５に示すように、Ｐ／Ｓ変換部１０４のメモリ３０２にて図５の上から信号＄１、＄１、＄１、＄１の順番になるように配列され、続いて図５の上から順次読み出されてシリアルデータの形式に変換される。Ｐ／Ｓ変換部１０４から出力された送信信号は、シリアルデータ形式のシステマティックビットデータ列「＄１、＄１、＄１、＄１」のように配列される（ＳＴ１６０４）。
【０１６２】
次に、送信信号は、ＩＦＦＴ部１０５にてＩＦＦＴ処理等の直交周波数分割多重処理されて、ＯＦＤＭ−ＣＤＭＡ信号が得られる（ＳＴ１６０７）。
【０１６３】
次に、このようにして得られたＯＦＤＭ−ＣＤＭＡ信号における各信号のサブキャリアへの割り当てについて、図６から図８を用いて説明する。
【０１６４】
送信信号が再送ではない通常の送信時においては、図６に示すように、信号＄１は第１グループＧ１の各サブキャリアに振り分けられて配置され、信号＄２は第２グループＧ２の各サブキャリアに振り分けられて配置され、信号＄３は第３グループＧ３の各サブキャリアに振り分けられて配置され、信号＄４は第４グループＧ４の各サブキャリアに振り分けられて配置される。
【０１６５】
また、１回目の再送時であって且つ帯域に余裕がない場合においては、図７に示すように、信号＄１は第１グループＧ１の各サブキャリアに振り分けられて配置されるとともに、第３グループＧ３には、第１グループＧ１と同様に信号＄１が各サブキャリアに振り分けられて配置され、信号＄２は第２グループＧ２に割り当てられ、信号＄３は第４グループＧ４に割り当てられる。したがって、１回目の再送時においては、通常の送信時に比べて、第３グループＧ３の各サブキャリアに信号＄１が割り当てられた分だけサブキャリア数が２倍になる。
【０１６６】
また、２回目の再送時または１回目の再送時であって且つ帯域に余裕がある場合においては、図８に示すように、信号＄１は第１グループＧ１の各サブキャリアに振り分けて配置され、第２グループＧ２、第３グループＧ３及び第４グループＧ４の各々においても、第１グループと同様に信号＄１は各サブキャリアに振り分けて配置される。したがって、２回目の再送時においては、通常の送信時に比べて、第２グループＧ２の各サブキャリアと第４グループＧ４の各サブキャリアに信号＄１が割り当てられた分だけサブキャリア数が２倍になる。
【０１６７】
このように、本実施の形態のＯＦＤＭ−ＣＤＭＡ送信装置及びＯＦＤＭ−ＣＤＭＡ送信方法によれば、上記実施の形態１の効果に加えて、Ｓ／Ｐ変換部及びＰ／Ｓ変換部は、帯域に余裕があるか否かも考慮して再送信号をサブキャリアに割り当てられるように配列するので、帯域に余裕がある場合において伝送効率を低下させることなく伝送遅延が大きくなることを防ぐことができる。
【０１６８】
（実施の形態６）
図１７は、本発明の実施の形態６に係る送信装置１７００の構成を示す図である。本実施の形態においては、再送回数の上限を設定する点を特徴とするものである。本実施の形態は、図１７において、ターボ符号化部１７０１、Ｐ／Ｓ変換部１７０２、選択部１７０３及び大小比較部１７０４を設ける構成が図１と相違する。なお、図１と同一構成である部分は同一の符号を付してその説明は省略する。
【０１６９】
再送回数制御手段である制御部１０１は、図示しない変調部にて変調された送信信号を一時的に蓄積し、送信信号を再送情報とそれ以外の通常の情報とに選別する。そして、送信タイミングになった場合には、送信信号を拡散部１０２へ出力するとともに、再送情報をＳ／Ｐ変換部１０３、Ｐ／Ｓ変換部１０４及び大小比較部１７０４へ出力する。また、制御部１０１は、受信信号よりＣＩＲ（希望波対干渉波比）等の回線品質を求めて、求めた回線品質を回線品質情報としてＳ／Ｐ変換部１０３とＰ／Ｓ変換部１０４へ出力する。また、制御部１０１は、帯域情報を選択部１７０３へ出力する。また、制御部１０１は、大小比較部１７０４から再送を打ち切る信号（以下「打ち切り信号」と記載する）が入力した場合には、再送信号の出力を停止する。
【０１７０】
ターボ符号化部１７０１は、制御部１０１から入力した送信信号の一部を符号化せずにシステマティックビットデータとしてＰ／Ｓ変換部１７０２へ出力するとともに、入力した送信信号の残りの一部に対して再帰畳み込み符号化を行って、パリティビットデータとしてＰ／Ｓ変換部１７０２へ出力する。
【０１７１】
Ｐ／Ｓ変換部１７０２は、ターボ符号化部１７０１から入力したシステマティックビットデータとパリティビットデータを、パラレルデータの形式からシリアルデータの形式に変換して拡散部１０２へ出力する。Ｐ／Ｓ変換部１７０２にて変換されたシステマティックビットデータとパリティビットデータは、シンボル毎に全てシステマティックビットまたはパリティビットからなっている。
【０１７２】
選択部１７０３は、制御部１０１から入力した帯域情報に基づいて、しきい値αまたはしきい値βを選択して大小比較部１７０４へ出力する。即ち、許容使用帯域に対する現在の使用帯域の割り合いが大きい場合はしきい値β（しきい値α＞しきい値β）を選択し、許容使用帯域に対する現在の使用帯域の割り合いが小さい場合はしきい値αを選択する。このように、しきい値を帯域情報に応じて選択するので、帯域の使用状況に応じて再送回数の上限を適応的に変えることができ、システム全体のスループットと誤り率特性の両立を図ることができる。
【０１７３】
大小比較部１７０４は、制御部１０１から入力した回数情報より再送回数と選択部１７０３から入力したしきい値αまたはしきい値βとを比較し、再送回数がしきい値以上である場合には、打ち切り信号を制御部１０１へ出力する。一方、再送回数がしきい値未満である場合には、何も出力しない。なお、送信装置１７００の動作については、帯域情報に応じて再送回数が所定回数になった場合には再送を打ち切る以外は図１２と同一であるためその説明は省略する。
【０１７４】
このように、本実施の形態のＯＦＤＭ−ＣＤＭＡ送信装置及びＯＦＤＭ−ＣＤＭＡ送信方法によれば、上記実施の形態１、実施の形態２及び実施の形態３の効果に加えて、大小比較部は再送回数がしきい値以上である場合には再送を打ち切るので、システム全体のスループットを大きくすることができる。
【０１７５】
なお、本実施の形態においては、帯域に余裕があるか否かによって選択するしきい値をしきい値αとしきい値βの２種類にしたが、帯域に余裕があるか否かによって選択するしきい値を、しきい値αとしきい値βの２種類にする場合に限らず、３種類以上のしきい値の中から選択するようにしても良い。また、本実施の形態においては、送信信号をターボ符号化することとしたが、送信信号をターボ符号化する場合に限らず、送信信号をターボ符号化以外の符号化方法により符号化するようにしても良い。また、本実施の形態においては、回線品質情報も用いて送信信号の並び替えを行ったが、回線品質情報を用いて送信信号の並び替えを行う場合に限らず、再送情報のみを用いて送信信号を並び替えるようにしても良い。また、本実施の形態においては、選択部において許容使用帯域に対する使用帯域の割り合いに応じてしきい値を選択することとしたが、許容使用帯域に対する使用帯域の割り合いに応じてしきい値を選択する場合に限らず、単純に使用帯域の大小のみでしきい値を選択する等の任意の方法を採用できる。
【０１７６】
なお、上記実施の形態１から実施の形態６においては、通常の送信時から２回目の再送時までにおいて信号を割り当てるサブキャリア数を変えることとしたが、通常の送信時から２回目の再送時までにおいて信号を割り当てるサブキャリア数を変える場合に限らず、通常の送信時から３回以上の再送時までにおいて再送信号を割り当てるサブキャリア数を多くするようにしても良い。また、上記実施の形態１から実施の形態６においては、通常の送信時から２回目の再送時までに割り当てるサブキャリア数を増やすのはグループ毎としたが、ＯＦＤＭ信号の場合には、サブキャリアをグループ化せずに通常の送信時から２回目の再送時までに割り当てるサブキャリア数を、サブキャリア毎に増やすようにしても良い。
【０１７７】
また、上記実施の形態１から実施の形態６においては、Ｓ／Ｐ変換部から再送信号を複数回読み出すとともに、Ｐ／Ｓ変換部によって送信信号を並び替えることによって再送信号を配置するサブキャリア数を増やすこととしたが、Ｓ／Ｐ変換部から再送信号を複数回読み出してＰ／Ｓ変換部によって送信信号を並び替えることによって再送信号を配置するサブキャリア数を増やす場合に限らず、並び替えを行わずにＩＦＦＴ部にて直交周波数分割多重処理する際に再送信号を配置するサブキャリア数を増やすようにしても良いし、また、再送信号を直交周波数分割多重処理するＩＦＦＴ部と通常の信号を直交周波数分割多重処理するＩＦＦＴ部とを別々に設けることにより再送信号を配置するサブキャリア数を増やすようにしても良い。
【０１７８】
また、上記実施の形態１から実施の形態６においては、サブキャリアを４つのグループに分けることとしたが、サブキャリアを４つのグループに分ける場合に限らず、任意のグループ数にすることができる。また、上記実施の形態１から実施の形態６においては、Ｓ／Ｐ変換部において再送信号を新たに生成することとしたが、再送信号を新たに生成する場合に限らず、メモリに送信信号を一旦記憶しておいて、再送回数に応じた回数だけメモリから再送信号を読み出すようにしても良い。また、上記実施の形態１から実施の形態６に記載の送信装置は、基地局装置または通信端末装置に適用することが可能である。
【０１７９】
【発明の効果】
以上説明したように、本発明によれば、伝送効率をほとんど低下させずに再送回数が過剰に増大することによる伝送遅延の増大を防ぐことができる。
【図面の簡単な説明】
【図１】本発明の実施の形態１に係る送信装置の構成を示すブロック図
【図２】本発明の実施の形態１に係る送信装置の動作を示すフロー図
【図３】送信信号の並び替えを示す図
【図４】送信信号の並び替えを示す図
【図５】送信信号の並び替えを示す図
【図６】サブキャリアへの信号の割り当てを示す図
【図７】サブキャリアへの信号の割り当てを示す図
【図８】サブキャリアへの信号の割り当てを示す図
【図９】本発明の実施の形態２に係る送信装置の構成を示すブロック図
【図１０】発明の実施の形態２に係る送信装置の動作を示すフロー図
【図１１】本発明の実施の形態３に係る送信装置の構成を示すブロック図
【図１２】本発明の実施の形態３に係る送信装置の動作を示すフロー図
【図１３】本発明の実施の形態４に係る送信装置の構成を示すブロック図
【図１４】本発明の実施の形態４に係る送信装置の動作を示すフロー図
【図１５】本発明の実施の形態５に係る送信装置の構成を示すブロック図
【図１６】本発明の実施の形態５に係る送信装置の動作を示すフロー図
【図１７】本発明の実施の形態６に係る送信装置の構成を示すブロック図
【符号の説明】
１０１  制御部
１０２  拡散部
１０３  Ｓ／Ｐ変換部
１０４  Ｐ／Ｓ変換部
１０５  ＩＦＦＴ部
１０６  ＧＩ挿入部
９０１  ターボ符号化部
９０２  Ｐ／Ｓ変換部
【図１】
2004187226.tif 000003
【図２】
2004187226.tif 000004
【図３】
2004187226.tif 000005
【図４】
2004187226.tif 000006
【図５】
2004187226.tif 000007
【図６】
2004187226.tif 000008
【図７】
2004187226.tif 000009
【図８】
2004187226.tif 000010
【図９】
2004187226.tif 000011
【図１０】
2004187226.tif 000012
【図１１】
2004187226.tif 000013
【図１２】
2004187226.tif 000014
【図１３】
2004187226.tif 000015
【図１４】
2004187226.tif 000016
【図１５】
2004187226.tif 000017
【図１６】
2004187226.tif 000018
【図１７】
2004187226.tif 000019